(57)【要約】【課題】集合住宅の居住者の危険を極力回避することができる集合住宅の防犯装置を提供する。【解決手段】本発明に係る集合住宅の防犯端末装置は、侵入者を検出した防犯センサ２Ａａ〜３Ｂａの設置階床に対して、かご位置表示装置１７の該当階床の表示灯１７ａ〜１７ｅを点滅指令すると共に、それ以外の表示灯１７ａ〜１７ｅを点灯指令するかご位置表示灯制御部１１Ａと、乗りかご１５に乗客が不在となってかご運転が停止するまで全階床のホール呼びと該当階床のかご呼びを無効状態にすると共に、侵入者が該当階床で待機中に乗りかご１５に乗り込んだときに、かご呼びとホール呼びを無効にして乗りかご１５内に侵入者を封じ込めるかご呼び制御部１１Ｂと、乗客が不在となった乗りかご１５を該当階床へ走行させるよう制御するかご運転制御装置１１とを起動させるようにした。【選択図】図１
2017024857.tif 000002
【特許請求の範囲】
【請求項１】
集合住宅の各階床を昇降するエレベータの乗りかごと、この乗りかご内に設けられたかご呼釦と、前記集合住宅の各階乗場に設けられた乗場呼び釦と、これらかご呼釦および乗場呼び釦の押下によって登録された階床へ前記乗りかごを走行させるエレベータ制御装置と、前記乗りかご内と前記乗場にそれぞれ設けられたかご位置表示装置と、前記集合住宅の各居室の任意場所に設置された侵入者の動きを検出する防犯センサと、この防犯センサの動作信号に基づいて前記エレベータ制御装置に防犯信号を出力する防犯端末装置と、を具備した集合住宅の防犯装置において、
前記エレベータ制御装置は、
侵入者を検出した前記防犯センサの設置階床に対して、前記かご位置表示装置の該当階床の表示灯を点滅指令すると共に、それ以外の階床の表示灯を点灯指令するかご位置表示灯制御部と、
前記乗りかごに乗客が不在となってかご運転が停止するまで全階床のホール呼びと該当階床のかご呼びを無効状態にすると共に、侵入者が該当階床でかご待機中に前記乗りかごに乗り込んだときに、かご呼びとドア開閉釦を無効状態にして前記乗りかご内に侵入者を封じ込めるかご呼び制御部と、
侵入者を検出した前記防犯センサの設置階床に前記乗りかごが停止していないときに、前記防犯センサの設置階床に前記乗りかごを走行せるエレベータ制御部と、
を有し、前記防犯端末装置から防犯信号を受信したときに、これらかご位置表示灯制御部とかご呼び制御部およびエレベータ制御部を起動させることを特徴とする集合住宅の防犯装置。
【発明の詳細な説明】
【技術分野】
【０００１】
本発明は、集合住宅の防犯装置に係り、特に、集合住宅に設けられるエレベータを活用した集合住宅の防犯装置に関するものである。
【背景技術】
【０００２】
従来、エレベータの防犯システムとして、エレベータの乗場の死角となる場所に防犯センサを設置し、この防犯センサが不審者の侵入を検出すると、防犯センサが作動した階床ヘエレベータ乗りかごを停止させないようにすると共に、乗りかご内に設置された警告手段を用いて不審者の存在を乗客に知らせるようにした技術が知られている（例えば、特許文献１参照）。
【先行技術文献】
【特許文献】
【０００３】
【特許文献１】特開２００６−２５６８３１号公報
【発明の概要】
【発明が解決しようとする課題】
【０００４】
特許文献１に開示された上記の技術では、不審者を検出した階床ヘエレベータの乗かごを停止させないようにしているため、乗りかご内の乗客の安全を守るという観点からは有効となるが、乗かごが該当階床へ停止しなくなるので、エレベータに異常が発生したと誤解を招くおそれがある。また、乗りかご内の乗客以外には不審者の存在を報知しないため、集合住宅の入居者が不用意にも不審者が隠れている乗場の死角となる場所へ近づき、危険な状態となるおそれがある。
【０００５】
本発明は、このような従来技術の実情に鑑みてなされたもので、その目的は、集合住宅の居住者の危険を極力回避することができる集合住宅の防犯装置を提供することにある。
【課題を解決するための手段】
【０００６】
上記の目的を達成するために、本発明に係る集合住宅の防犯装置は、集合住宅の各階床を昇降するエレベータの乗りかごと、この乗りかご内に設けられたかご呼釦と、前記集合住宅の各階乗場に設けられた乗場呼び釦と、これらかご呼釦および乗場呼び釦の押下によって登録された階床へ前記乗りかごを走行させるエレベータ制御装置と、前記乗りかご内と前記乗場にそれぞれ設けられたかご位置表示装置と、前記集合住宅の各居室の任意場所に設置された侵入者の動きを検出する防犯センサと、この防犯センサの動作信号に基づいて前記エレベータ制御装置に防犯信号を出力する防犯端末装置と、を具備した集合住宅の防犯装置において、前記エレベータ制御装置は、侵入者を検出した前記防犯センサの設置階床に対して、前記かご位置表示装置の該当階床の表示灯を点滅指令すると共に、それ以外の階床の表示灯を点灯指令するかご位置表示灯制御部と、前記乗りかごに乗客が不在となってかご運転が停止するまで全階床のホール呼びと該当階床のかご呼びを無効状態にすると共に、侵入者が該当階床でかご待機中に前記乗りかごに乗り込んだときに、かご呼びとドア開閉釦を無効状態にして前記乗りかご内に侵入者を封じ込めるかご呼び制御部と、侵入者を検出した前記防犯センサの設置階床に前記乗りかごが停止していないときに、前記防犯センサの設置階床に前記乗りかごを走行せるエレベータ制御部と、を有し、前記防犯端末装置から防犯信号を受信したときに、これらかご位置表示灯制御部とかご呼び制御部およびエレベータ制御部を起動させることを特徴としている。
【発明の効果】
【０００７】
本発明に係る集合住宅の防犯装置によれば、集合住宅の居住者の危険を極力回避することができる。なお、上記した以外の課題、構成および効果は、以下の実施の形態により明らかにされる。
【図面の簡単な説明】
【０００８】
【図１】本発明の実施形態に係る集合住宅の防犯装置の構成を示すブロック図である。
【図２】同実施形態における防犯端末装置の動作を説明するフローチャートである。
【図３】同実施形態におけるエレベータ制御装置の動作を説明するフローチャートである。
【発明を実施するための形態】
【０００９】
以下、本発明の実施形態に係る集合住宅の防犯装置について、図面を参照して詳細に説明する。
【００１０】
図１は本実施形態に係る集合住宅の防犯装置の構成を示すブロック図であり、図１において、複数の住戸が集合して棟を構成する集合住宅１は、居住者が生活する複数の居室である２０１号室２，２０２号室３と、集合住宅１の管理業務を請け負う管理人が常駐する図示しない管理人室とを有している。２０１号室２，２０２号室３にはそれぞれ、居住者が出入りするドア２Ａ，３Ａと、採光や通気を目的とした窓２Ｂ，３Ｂとが設置されており、図示せぬ他の居室についても同様である。
【００１１】
ドア２Ａ，３Ａにはドアからの侵入者を検知するドア用防犯センサ２Ａａ，３Ａａが設けられており、このドア用防犯センサ２Ａａ，３Ａａは、施錠状態にも関わらずドア２Ａ，３Ａが開かれたときに検知信号を出力するよう構成されている。また、窓２Ｂ，３Ｂには窓からの侵入者を検知する窓用防犯センサ２Ｂａ，３Ｂａが設けられており、この窓用防犯センサ２Ｂａ，３Ｂａは、窓２Ｂ，３Ｂに設けられたガラスの破壊音、あるいは窓２Ｂ，３Ｂの振動を検出したときに検知信号を出力するよう構成されている。なお、防犯センサは、ドア用防犯センサ２Ａａ，３Ａａと窓用防犯センサ２Ｂａ，３Ｂａの２箇所に限らず、居室毎に３箇所またはそれ以上自由に設けても良い。
【００１２】
管理人室には防犯端末装置４が設置されており、この防犯端末装置４は、ドア用防犯センサ２Ａａ，３Ａａおよび窓用防犯センサ２Ｂａ，３Ｂａ等の防犯センサに接続される入力装置５と、防犯端末装置４内の各機器の演算制御処理を行う制御装置６と、防犯センサ（ドア用防犯センサ２Ａａ，３Ａａおよび窓用防犯センサ２Ｂａ，３Ｂａ等）が設置された階床や居室番号等の階床情報を記憶する記憶装置７と、後述するエレベータ制御装置へ情報を出力する通報装置８とによって構成されている。
【００１３】
ここで、例えばドア用防犯センサ２Ａａがドアからの侵入者を検知すると、その動作信号は入力装置５で入力され、このドア用防犯センサ２Ａａの動作信号を認識した制御装置６は、記憶装置７を参照して動作したドア用防犯センサ２Ａａの居室と階床を特定した上で、通報装置８を介して動作したドア用防犯センサ２Ａａの階床情報をエレベータ制御装置９に送信する。
【００１４】
このエレベータ制御装置９は、防犯端末装置４の通報装置８から送信される階床情報を取得する入力装置１０と、エレベータに設けられる電気機器の制御を行う制御装置１１と、エレベータ電気機器へ信号を出力する出力装置１２とによって構成されている。また、制御装置１１には、乗りかご１５の位置を表示灯の点灯で知らせたり、異常発生を表示灯の点滅で知らしめるかご位置表示灯制御部１１Ａと、乗場１９側のホール呼びや乗りかご１５内のかご呼びを検出したり、これらホール呼びやかご呼びを無効化するかご呼び制御部１１Ｂとが設けられている。
【００１５】
エレベータの乗りかご１５内において、かごドア１５Ａの開端近傍に操作パネル１６が設けられており、この操作パネル１６には、乗客が行先階を登録操作するためのかご呼び釦１６ａ〜１６ｅや、ドア開を指示するためのかごドア開釦１６Ａ、ドア閉を指示するためのかごドア閉釦１６Ｂ等が配設されている。また、かごドア１５Ａの上部近傍にかご位置表示灯１７が設けられており、このかご位置表示灯１７には、乗りかご１５の位置を表示する１階表示灯１７ａ〜５階表示灯１７ｅが配設されている。
【００１６】
一方、エレベータの乗場１９において、乗場ドア２０の開端近傍にインジケータ２１が設けられており、このインジケータ２１には、上昇または下降の行先方向を指定するための乗場呼び釦２１Ａ，２１Ｂと、乗りかご１５の位置を表示するかご位置表示灯の１階表示灯２１ａ〜５階表示灯２１ｅが配設されている。なお、エレベータ制御装置９の出力装置１２に接続されるエレベータ電気機器としては、これら乗りかご１５内のかご呼び釦１６ａ〜１６ｅ、かごドア開釦１６Ａ、かごドア閉釦１６Ｂ、１階表示灯１７ａ〜１７ｅや、乗場１９側の乗場呼び釦２１Ａ，２１Ｂ、１階表示灯２１ａ〜５階表示灯２１ｅ等があげられる。
【００１７】
次に、本実施形態に係る集合住宅の防犯装置の処理動作の説明を、図２と図３に示すフローチャートに基づいて説明する。
【００１８】
図２に示すように、防犯端末装置４は、ドア用防犯センサ２Ａａ，３Ａａおよび窓用防犯センサ２Ｂａ，３Ｂａ等の防犯センサが動作したか否かを監視しており（ステップＳＡ１）、これら防犯センサの動作信号は入力装置５を介して防犯端末装置４に入力される。ここで、例えば、集合住宅１の居室である２０１号室２に不審者が侵入し、２０１号室２のドア２Ａに設けたドア用防犯センサ２Ａａが動作すると（ステップＳＡ１のＹｅｓ）、このドア用防犯センサ２Ａａに予め付されているＩＤを含む侵入情報が制御装置６に入力され、制御装置６は、侵入情報に含まれるＩＤに基づいて記憶装置７を参照し、動作したドア用防犯センサ２Ａａの居室である２０１号室２と、その階床である２階を特定する（ステップＳＡ２）。
【００１９】
次に、制御装置６は、２０１号室２のドア用防犯センサ２Ａａが動作した旨を、図示しない通信回線を介して遠隔的に接続される防犯センタヘ通報すると共に、侵入が発生した階床である２階の階床情報を含む防犯信号をエレベータ制御装置９へ出力する（ステップＳＡ３）。
【００２０】
図３に示すように、エレベータ制御装置９の制御装置１１は、入力装置１０を介して防犯端末装置４から防犯信号の送信の有無を検出しており（ステップＳＢ１）、防犯信号がない場合（ステップＳＢ１のＮｏ）は、エレベータの通常運転制御を行う（ステップＳＢ３）。また、制御装置１１は、防犯端末装置４から防犯信号の入力を検出すると（ステップＳＢ１のＹｅｓ）、その防犯信号から階床情報を抽出して階床である２階を取得する（ステップＳＢ２）。
【００２１】
次に、エレベータ制御装置９のかご位置表示灯制御部１１Ａは、各階の乗場１９に設けたインジケータ２１の２階表示灯２１ｂを点滅させると共に、それ以外の１階表示灯２１ａと３階表示灯２１ｃ〜５階表示灯２１ｅを全て点灯させる（ステップＳＢ４）。
【００２２】
また、エレベータ制御装置９のかご呼び制御部１１Ｂは、集合住宅１の２階へ乗りかご１５が停止しないように、各階の乗場１９に設けたインジケータ２１の乗場呼び釦２１Ａ，２１Ｂのホール呼びを無効にすると共に、乗りかご１５内の２階かご呼び釦１６ｂのかご呼びを無効にする（ステップＳＢ５）。このように各階の乗場呼び釦２１Ａ，２１Ｂによるホール呼びを無効にしたので、乗りかご１５に新たな乗客が乗り込むことはなくなる。また、乗りかご１５が走行中であっても２階かご呼び釦１６ｂによるかご呼びを無効にしたので、乗りかご１５に乗客がいたとしても、乗りかご１５を２階以外の階床へ移動させて降ろすことができ、乗りかご１５内の乗客と２階に侵入している侵入者の遭遇を回避することができる。
【００２３】
次に、制御装置１１は、乗りかご１５内に乗客が不在となり、かご呼びのなくなった乗りかご１５が停止中であるか否かを判定し（ステップＳＢ６）、停止中であれば、乗りかご１５が侵入階である２階で停止しているか否かを判定し（ステップＳＢ７）、２階で停止していなければ、乗りかご１５を２階へ走行させる（ステップＳＢ８）。
【００２４】
次に、制御装置１１は、乗りかご１５を２階で待機状態とし、かご呼び制御部１１Ｂによって２階乗場の乗場呼び釦２１Ａ，２１Ｂのホール呼びだけを有効にする（ステップＳＢ９）。ここで、２階居住者は、乗場１９のインジケータ２１の２階表示灯２１ｂのみが点滅し、それ以外の１階表示灯２１ａと３階表示灯２１ｃ〜５階表示灯２１ｅが全て点灯状態であることから、２階で防犯異常が発生していることを認識できてエレベータの利用を止める。しかし、侵入者は、乗場１９のインジケータ２１の表示が意味する内容を理解できないため、エレベータを利用して２階以外の階、例えば１階に移動すべく２階乗場の乗場呼び釦２１Ｂを押すことになる。
【００２５】
次に、かご呼び制御部１１Ｂは、２階乗場の乗場呼び釦２１Ａ，２１Ｂのホール呼びがあったか否かを判定し（ステップＳＢ１０）、乗場呼び釦２１Ａ，２１Ｂが押された場合は、かご呼び制御部１１Ｂによって乗りかご１５のかごドア開釦１６Ａとかごドア閉釦１６Ｂを無効にすると共にかご呼び釦１６ａ〜１６ｅのかご呼びを無効にした後（ステップＳＢ１２）、乗場ドア２０をＯＰＥＮする（ステップＳＢ１３）。これにより、侵入者は２階で待機している乗りかご１５に乗り込むことができる。なお、２階乗場のホール呼びがなされる前に、防犯端末装置４が防犯解除された場合（ステップＳＢ１１）は、エレベータの制御を通常運転制御に戻す。
【００２６】
次に、かご呼び制御部１１Ｂは、乗りかご１５内のかご呼び釦１６ａ〜１６ｅが押されたか否かを判定し（ステップＳＢ１４）、かご呼び釦１６ａ〜１６ｅが押された場合は、乗りかご１５のかごドア１５ＡをＣＬＯＳＥする（ステップＳＢ１５）。すなわち、乗りかご１５内に乗り込んだ侵入者が、例えば１階に移動すべく１階かご呼び釦１６ａを押すと、その押圧指令によってかごドア１５Ａが閉じる。なお、かご呼び釦１６ａ〜１６ｅが押されなくても、ドア１５Ａは所定のドア開時限を経過すると自動的にＣＬＯＳＥする（ステップＳＢ１５）。
【００２７】
次に、かご位置表示灯制御部１１Ａは、乗りかご１５内のかご位置表示装置１７の表示灯１７ａ〜１７ｅを点滅させる（ステップＳＢ１７）。これで、前述したステップＳ５の動作による全階床のホール呼びの無効化と、ステップＳ１２の動作による乗りかご１５内のかご呼びとドア開閉釦の無効化により、侵入者は乗りかご１５内で封じ込め状態となる。また、乗りかご１５内で封じ込め状態となったことを居住者に報知するため、かご位置表示灯制御部１１Ａは、各階の乗場１９に設けたインジケータ２１の２階表示灯２１ｂのみを点滅させ、その他階床の１階表示灯２１ａと３階表示灯２１ｃ〜５階表示灯２１ｅを点灯させ、２階で停止中の乗りかご内１５に侵入者が居ることを知らしめる（ステップＳＢ１８）。
【００２８】
ここで、防犯端末装置４が防犯解除された場合（ステップＳＢ１９）は、乗りかご１５のドア１５ＡをＯＰＥＮさせて制御を終了する（ステップＳＢ２０）。
【００２９】
以上説明したように、本実施形態に係る集合住宅の防犯装置によれば、防犯センサであるドア用防犯センサ２Ａａ，３Ａａと窓用防犯センサ２Ｂａ，３Ｂａが侵入者を検出すると、検出動作した防犯センサの設置階床へエレベータの乗りかご１５を待機させ、ホール呼びによる他階床への乗りかご１５の運転を禁止すると共に、乗りかご１５内に設けられたかご位置表示灯１７の１階表示灯１７ａ〜５階表示灯１７ｅの点灯と点滅、および乗場１９に設けられたインジケータ２１の１階表示灯２１ａ〜２１ｅの点灯と点滅によって、侵入者の存在と侵入階床を居住者へ知らせると共に、侵入者が侵入階床に待機させた乗りかご１５に乗り込んだ時に、侵入者を乗りかご１５内に封じ込めるようにしたので、集合住宅の居住者と侵入者の接近は稀となり、居住者の安全を確保することができる。
【００３０】
なお、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。
【符号の説明】
【００３１】
１  集合住宅
２，３  居室（２０１号室，２０２号）
２Ａ，３Ａ  ドア
２Ｂ，３Ｂ  窓
２Ａａ，３Ａａ  ドア用防犯センサ
２Ｂａ，３Ｂａ  窓用防犯センサ
４  防犯端末装置
５  入力装置
６  制御装置
７  記憶装置
８  通報装置
９  エレベータ制御装置
１０  入力装置
１１  制御装置
１１Ａ  かご位置表示灯制御部
１１Ｂ  かご呼び制御部
１２  出力装置
１５  乗りかご
１５Ａ  かごドア
１６  操作パネル
１６ａ〜１６ｅ  かご呼び釦
１６Ａ  かごドア開釦
１６Ｂ  かごドア閉釦
１７  かご位置表示灯
１７ａ〜１７ｅ  １階〜５階表示灯
２０  乗場ドア
２１  インジケータ
２１Ａ，２１Ｂ  乗場呼び釦
２１ａ〜２１ｅ  １階〜５階表示灯
【図１】
2017024857.tif 000003
【図２】
2017024857.tif 000004
【図３】
2017024857.tif 000005